(57)【要約】【課題】  着用者の仙腸関節および股関節をサポートすることができるとともに、着用者の骨盤を適度に前傾させることができる骨盤ベルトを提供する。【解決手段】  着用者８０の骨盤８１を取り囲む位置に着用され、着用者８０の正面側で前上腸骨棘８３ａの正面側を通らず前上腸骨棘８３ａより下部の正面側を通り、着用者８０の側面側で大転子８５ａより上部の側面側を通り、着用者８０の背面側で後上腸骨棘８３ｂの背面側を通るように環状に延在しており、延在方向において伸縮性を有している骨盤ベルト１０は、着用者８０の正面側に配置されている正面側部分１１と、正面側部分１１より着用者８０の背面側で正面側部分１１の延在方向における端１１ａに固定されていて正面側部分１１より延在方向における伸縮性が高い高伸縮部分１２とを備えており、正面側部分１１の端１１ａは、着用者８０の側面側で腸骨８３の側面側に配置されていることを特徴とする。【選択図】  図６
2014104002.tif 000002
【特許請求の範囲】
【請求項１】
着用者の骨盤を取り囲む位置に着用され、前記着用者の正面側で前記着用者の前上腸骨棘の正面側を通らず前記前上腸骨棘より下部の正面側を通り、前記着用者の側面側で前記着用者の大転子より上部の側面側を通り、前記着用者の背面側で前記着用者の後上腸骨棘の背面側を通るように環状に延在しており、延在方向において伸縮性を有している骨盤ベルトであって、
前記着用者の正面側に配置されている部分である正面側部分と、前記正面側部分より前記着用者の背面側で前記正面側部分の前記延在方向における端に固定されていて前記正面側部分より前記延在方向における伸縮性が高い部分である高伸縮部分とを備えており、
前記正面側部分の前記端は、前記着用者の側面側で前記着用者の腸骨の側面側に配置されていることを特徴とする骨盤ベルト。
【請求項２】
前記着用者の背面側で前記着用者の仙骨の背面側に配置されている部分である仙骨背面部分を備えており、
前記高伸縮部分は、前記仙骨背面部分の前記延在方向における端に固定されていて前記仙骨背面部分より前記延在方向における伸縮性が高いことを特徴とする請求項１に記載の骨盤ベルト。
【請求項３】
前記仙骨背面部分は、前記着用者の背面側の下部に向けて幅が狭くなっていることを特徴とする請求項２に記載の骨盤ベルト。
【請求項４】
前記高伸縮部分に固定されていて前記高伸縮部分を区切る区切部分を備えており、
前記区切部分は、前記着用者の背面側で前記着用者の前記腸骨の背面側に配置されていることを特徴とする請求項２または請求項３に記載の骨盤ベルト。
【請求項５】
前記区切部分は、前記仙骨背面部分の２つの前記端のうち近い方に平行に配置されていることを特徴とする請求項４に記載の骨盤ベルト。
【発明の詳細な説明】
【技術分野】
【０００１】
本発明は、着用者の骨盤を矯正することができる骨盤ベルトに関する。
【背景技術】
【０００２】
従来の骨盤ベルトとして、着用者の骨盤を取り囲む位置に着用される骨盤ベルトであって、着用者の正面側で着用者の前上腸骨棘の正面側を通らず前上腸骨棘より下部の正面側を通るように環状に延在しており、延在方向において伸縮性を有している骨盤ベルトが知られている（特許文献１参照。）。
【先行技術文献】
【特許文献】
【０００３】
【特許文献１】特開２０１２−２１７７８８号公報
【発明の概要】
【発明が解決しようとする課題】
【０００４】
人間の上半身の重みは、腰椎から骨盤の仙骨に伝わった後、骨盤内の左右に存在する２箇所の仙腸関節を介して２つに分かれ、更に骨盤から股関節を介して脚に伝わる。すなわち、人間の仙腸関節および股関節には、人間の上半身の重みによって日常的に負荷が加わっている。したがって、着用者の仙腸関節および股関節をサポートすることができる骨盤ベルトが存在すれば、多くの人間にとって非常に好ましい。
【０００５】
また、腰椎は、適度な前弯によって、負荷を分散している。そして、腰椎の前弯は、腰椎の下部に存在する仙骨の前傾、すなわち、仙骨を備えている骨盤全体の前傾によって維持されている。したがって、着用者の骨盤を適度に前傾させることができる骨盤ベルトが存在すれば、多くの人間にとって非常に好ましい。
【０００６】
しかしながら、上述の従来の骨盤ベルトは、着用者の仙腸関節をサポートすることはできていないという問題がある。
【０００７】
そこで、本発明は、着用者の仙腸関節および股関節をサポートすることができるとともに、着用者の骨盤を適度に前傾させることができる骨盤ベルトを提供することを目的とする。
【課題を解決するための手段】
【０００８】
本発明の骨盤ベルトは、着用者の骨盤を取り囲む位置に着用され、前記着用者の正面側で前記着用者の前上腸骨棘の正面側を通らず前記前上腸骨棘より下部の正面側を通り、前記着用者の側面側で前記着用者の大転子より上部の側面側を通り、前記着用者の背面側で前記着用者の後上腸骨棘の背面側を通るように環状に延在しており、延在方向において伸縮性を有している骨盤ベルトであって、前記着用者の正面側に配置されている部分である正面側部分と、前記正面側部分より前記着用者の背面側で前記正面側部分の前記延在方向における端に固定されていて前記正面側部分より前記延在方向における伸縮性が高い部分である高伸縮部分とを備えており、前記正面側部分の前記端は、前記着用者の側面側で前記着用者の腸骨の側面側に配置されていることを特徴とする。
【０００９】
この構成により、本発明の骨盤ベルトは、着用者の背面側で着用者の後上腸骨棘の背面側である部分が骨盤ベルトの伸縮性によって着用者側に引き付けられるので、着用者の後上腸骨棘に対して着用者の正面側に存在する着用者の仙腸関節を骨盤が閉じる方向に適度にサポートすることができる。また、本発明の骨盤ベルトは、着用者の側面側で着用者の腸骨の側面側に配置されている正面側部分の端を高伸縮部分の伸縮性によって着用者側に引き付けるので、正面側部分に相当する部分も高伸縮部分と同様に骨盤ベルトの延在方向に伸縮性が高い部分である構成と比較して、正面側部分の端によって着用者の左右両側の腸骨の開きを抑えることができ、結果として、着用者の仙腸関節を骨盤が閉じる方向に更に適度にサポートすることができる。また、本発明の骨盤ベルトは、着用者の側面側で着用者の大転子より上部の側面側である部分が骨盤ベルトの伸縮性によって着用者側に引き付けられるので、着用者の骨盤の腸骨と、着用者の大腿骨の大転子とを繋ぐ着用者の中臀筋を適度にサポートすることができ、結果として、骨盤と、大腿骨との間に形成される股関節を適度にサポートすることができる。また、本発明の骨盤ベルトは、着用者の正面側で着用者の前上腸骨棘の正面側を通らず前上腸骨棘より下部の正面側を通っているので、着用者の正面側で着用者の前上腸骨棘より下部の正面側である部分が骨盤ベルトの伸縮性によって着用者側に引き付けられる。したがって、本発明の骨盤ベルトは、着用者の腸骨のうち前上腸骨棘より下側の部分を介して着用者の骨盤全体を適度に前傾させることができる。
【００１０】
また、本発明の骨盤ベルトは、前記着用者の背面側で前記着用者の仙骨の背面側に配置されている部分である仙骨背面部分を備えており、前記高伸縮部分は、前記仙骨背面部分の前記延在方向における端に固定されていて前記仙骨背面部分より前記延在方向における伸縮性が高くても良い。
【００１１】
この構成により、本発明の骨盤ベルトは、高伸縮部分より骨盤ベルトの延在方向における伸縮性が低い仙骨背面部分を着用者の背面側で着用者の仙骨の背面側に備えているので、仙骨背面部分に相当する部分も高伸縮部分と同様に骨盤ベルトの延在方向に伸縮性が高い部分である構成と比較して、骨盤ベルトの延在方向に伸縮性が高い部分の長さを短くすることができ、結果として、着用者の背面側で着用者の後上腸骨棘の背面側である部分が高伸縮部分の伸縮性によって着用者側に引き付けられる力を向上することができる。したがって、本発明の骨盤ベルトは、仙骨背面部分に相当する部分も高伸縮部分と同様に骨盤ベルトの延在方向に伸縮性が高い部分である構成と比較して、着用者の後上腸骨棘に対して着用者の正面側に存在する着用者の仙腸関節を骨盤が閉じる方向に更に適度にサポートすることができる。
【００１２】
また、本発明の骨盤ベルトにおいて、前記仙骨背面部分は、前記着用者の背面側の下部に向けて幅が狭くなっていても良い。
【００１３】
この構成により、本発明の骨盤ベルトは、着用者の背面側で着用者の仙骨のうち着用者の左右両側の腸骨に挟まれている部分、すなわち、下部に向けて幅が狭くなっている部分に仙骨背面部分を合わせることができるので、仙骨背面部分が着用者の背面側で着用者の左右両側の腸骨に跨って配置されることを防止することができる。したがって、本発明の骨盤ベルトは、仙骨背面部分が着用者の背面側で着用者の左右両側の腸骨に跨って配置される構成と比較して、着用者の後上腸骨棘に対して着用者の正面側に存在する着用者の仙腸関節の動きを妨げることなく、仙腸関節を骨盤が閉じる方向に更に適度にサポートすることができる。
【００１４】
また、本発明の骨盤ベルトは、前記高伸縮部分に固定されていて前記高伸縮部分を区切る区切部分を備えており、前記区切部分は、前記着用者の背面側で前記着用者の前記腸骨の背面側に配置されていても良い。
【００１５】
この構成により、本発明の骨盤ベルトは、着用者の側面側で着用者の腸骨の側面側に配置されている正面側部分の端を着用者側に引き付ける目的の区画と、着用者の背面側で着用者の後上腸骨棘の背面側である部分を着用者側に引き付ける目的の区画とに高伸縮部分を区切部分によって区切るので、高伸縮部分が区切られていない構成と比較して、それぞれの区画の伸縮性をそれぞれの区画の目的に合わせて適正化することができる。したがって、本発明の骨盤ベルトは、高伸縮部分が区切られていない構成と比較して、着用者の仙腸関節を骨盤が閉じる方向に更に適度にサポートすることができる。
【００１６】
また、本発明の骨盤ベルトにおいて、前記区切部分は、前記仙骨背面部分の２つの前記端のうち近い方に平行に配置されていても良い。
【００１７】
この構成により、本発明の骨盤ベルトは、高伸縮部分のうち、着用者の背面側で着用者の後上腸骨棘の背面側である部分を着用者側に引き付ける目的の区画によって、この区画のうち骨盤ベルトの延在方向に直交する方向における位置に関係なく均等な力で、着用者の後上腸骨棘の背面側である部分を着用者側に引き付けることができる。したがって、本発明の骨盤ベルトは、区切部分が骨盤ベルトの延在方向における仙骨背面部分の２つの端のうち近い方に平行に配置されていない構成と比較して、着用者の仙腸関節を骨盤が閉じる方向に更に適度にサポートすることができる。
【発明の効果】
【００１８】
本発明の骨盤ベルトは、着用者の仙腸関節および股関節をサポートすることができるとともに、着用者の骨盤を適度に前傾させることができる。
【図面の簡単な説明】
【００１９】
【図１】本発明の一実施の形態に係る骨盤ベルトの正面図である。
【図２】図１に示す骨盤ベルトの背面図である。
【図３】着用されている状態での図１に示す骨盤ベルトの正面側から見た斜視図である。
【図４】着用されている状態での図１に示す骨盤ベルトの背面側から見た斜視図である。
【図５】図１に示す骨盤ベルトと着用者の身体との位置関係を示す着用者の正面図である。
【図６】図１に示す骨盤ベルトと着用者の身体との位置関係を示す着用者の側面図である。
【図７】図１に示す骨盤ベルトと着用者の身体との位置関係を示す着用者の背面図である。
【図８】縁取り用布を除いた状態での図１に示す骨盤ベルトの分解斜視図である。
【発明を実施するための形態】
【００２０】
以下、本発明の一実施の形態について、図面を用いて説明する。
【００２１】
まず、本実施の形態に係る骨盤ベルトの構成について説明する。
【００２２】
図１は、本実施の形態に係る骨盤ベルト１０の正面図である。図２は、骨盤ベルト１０の背面図である。
【００２３】
図１および図２に示す骨盤ベルト１０は、矢印１０ａで示す延在方向において伸縮性を有している。
【００２４】
図３は、着用されている状態での骨盤ベルト１０の正面側から見た斜視図である。図４は、着用されている状態での骨盤ベルト１０の背面側から見た斜視図である。図５は、骨盤ベルト１０と着用者８０の身体との位置関係を示す着用者８０の正面図である。
【００２５】
図３〜図５に示すように、骨盤ベルト１０は、着用者８０の骨盤８１を取り囲む位置に環状に延在して着用される。
【００２６】
図６は、骨盤ベルト１０と着用者８０の身体との位置関係を示す着用者８０の側面図である。
【００２７】
図５および図６に示すように、骨盤ベルト１０は、着用者８０の正面側で着用者８０の骨盤８１の寛骨８２の腸骨８３の前上腸骨棘８３ａの正面側を通らず前上腸骨棘８３ａより下部の正面側を通っている。
【００２８】
図７は、骨盤ベルト１０と着用者８０の身体との位置関係を示す着用者８０の背面図である。
【００２９】
図５〜図７に示すように、骨盤ベルト１０は、着用者８０の側面側で着用者８０の大腿骨８５の大転子８５ａより上部の側面側を通っている。
【００３０】
図６および図７に示すように、骨盤ベルト１０は、着用者８０の背面側で着用者８０の腸骨８３の後上腸骨棘８３ｂの背面側を通っている。
【００３１】
図１〜図４に示すように、骨盤ベルト１０は、着用者８０の正面側に配置されている部分である正面側部分１１と、正面側部分１１より着用者８０の背面側で正面側部分１１の矢印１０ａで示す延在方向における端１１ａに固定されていて正面側部分１１より矢印１０ａで示す延在方向における伸縮性が高い部分である高伸縮部分１２と、着用者８０の背面側で着用者８０の骨盤８１（図７参照。）の仙骨８４（図７参照。）の背面側に配置されている部分である仙骨背面部分１３と、高伸縮部分１２に固定されていて高伸縮部分１２を区切る区切部分１４とを備えている。
【００３２】
正面側部分１１の端１１ａは、着用者８０の側面側で着用者８０の腸骨８３（図６参照。）の側面側に配置されている。
【００３３】
高伸縮部分１２は、仙骨背面部分１３の矢印１０ａで示す延在方向における端１３ａに固定されていて仙骨背面部分１３より矢印１０ａで示す延在方向における伸縮性が高い。
【００３４】
仙骨背面部分１３は、着用者８０の背面側の下部に向けて幅が狭くなっている。
【００３５】
区切部分１４は、着用者８０の背面側で着用者８０の腸骨８３（図７参照。）の背面側に配置されている。また、区切部分１４は、仙骨背面部分１３の２つの端１３ａのうち近い方に平行に配置されている。
【００３６】
図８は、縁取り用布６１（図１参照。）を除いた状態での骨盤ベルト１０の分解斜視図である。
【００３７】
図８に示すように、骨盤ベルト１０は、着用されている状態での着用者８０（図３参照。）の主に左半身側に配置されている左端外側布２１と、着用されている状態での着用者８０側に左端外側布２１に対して重ねられて配置されている左端内側布２２と、着用されている状態での着用者８０の主に右半身側に配置されている右端外側布２３と、着用されている状態での着用者８０側に右端外側布２３に対して重ねられて配置されている右端内側布２４と、着用されている状態での着用者８０側の面２５ａがフック状に起毛されているフック部材２５とを備えている。
【００３８】
左端外側布２１は、伸縮性を有しておらず、着用されている状態での着用者８０側とは反対側の面２１ａがループ状に起毛されている生地、例えばパイルテープで形成されている。同様に、右端外側布２３は、伸縮性を有しておらず、着用されている状態での着用者８０側とは反対側の面２３ａがループ状に起毛されている生地、例えばパイルテープで形成されている。
【００３９】
左端内側布２２および右端内側布２４は、縦方向および横方向に伸縮性を有する２ＷＡＹの生地、例えばパワーネットで形成されている。左端内側布２２および右端内側布２４は、矢印１０ａで示す延在方向において、矢印１０ａで示す延在方向に直交する方向より伸縮性が低くなっている。
【００４０】
フック部材２５は、薄く柔軟性を有している部材である。また、フック部材２５は、右端内側布２４に対して着用者８０側に重ねられて、右端外側布２３、右端内側布２４および後述する縁取り用布６１に縫い付けられている。
【００４１】
フック部材２５のフック状に起毛されている面２５ａと、左端外側布２１のループ状に起毛されている面２１ａとは、着用者８０が骨盤ベルト１０を腰に巻き付けて着用する場合に連結されるための面ファスナーを構成している。
【００４２】
骨盤ベルト１０は、着用されている状態での着用者８０の左半身側に配置されている左外側布３１と、着用されている状態での着用者８０側に左外側布３１に対して重ねられて配置されている左内側布３２と、着用されている状態での着用者８０の右半身側に配置されている右外側布３３と、着用されている状態での着用者８０側に右外側布３３に対して重ねられて配置されている右内側布３４とを備えている。
【００４３】
左外側布３１、左内側布３２、右外側布３３および右内側布３４は、縦方向および横方向に伸縮性を有する２ＷＡＹの生地、例えばパワーネットで形成されている。左外側布３１、左内側布３２、右外側布３３および右内側布３４は、矢印１０ａで示す延在方向において、矢印１０ａで示す延在方向に直交する方向より伸縮性が高くなっている。
【００４４】
左外側布３１のうち左端外側布２１側の端と、左端外側布２１のうち左外側布３１側の端と、左内側布３２のうち左端外側布２１側の端と、左端内側布２２のうち左内側布３２側の端とは、この順番で重ねられて互いに縫い付けられている。
【００４５】
同様に、右外側布３３のうち右端外側布２３側の端と、右端外側布２３のうち右外側布３３側の端と、右内側布３４のうち右端外側布２３側の端と、右端内側布２４のうち右内側布３４側の端とは、この順番で重ねられて互いに縫い付けられている。
【００４６】
骨盤ベルト１０は、台形状のクッション部材４１と、着用されている状態での着用者８０の左半身側であってクッション部材４１に対して着用者８０側に重ねられて配置されている当て布４２と、着用されている状態での着用者８０の右半身側であってクッション部材４１に対して着用者８０側に重ねられて配置されている当て布４３とを備えている。
【００４７】
クッション部材４１は、伸縮性を有していない布で綿を挟んで形成されている。
【００４８】
当て布４２および当て布４３は、伸縮性を有していない布である。
【００４９】
左外側布３１のうちクッション部材４１側の端と、左内側布３２のうちクッション部材４１側の端と、クッション部材４１のうち左内側布３２側の端と、当て布４２とは、この順番で重ねられて互いに縫い付けられている。
【００５０】
同様に、右外側布３３のうちクッション部材４１側の端と、右内側布３４のうちクッション部材４１側の端と、クッション部材４１のうち右内側布３４側の端と、当て布４３とは、この順番で重ねられて互いに縫い付けられている。
【００５１】
骨盤ベルト１０は、着用されている状態での着用者８０の左半身側で矢印１０ａで示す延在方向に交差する方向に延在して配置されていて柔軟性を有している柔軟性部材５１と、着用されている状態での着用者８０側に柔軟性部材５１に対して重ねられて配置されている当て布５２と、着用されている状態での着用者８０の右半身側で矢印１０ａで示す延在方向に交差する方向に延在して配置されていて柔軟性を有している柔軟性部材５３と、着用されている状態での着用者８０側に柔軟性部材５３に対して重ねられて配置されている当て布５４とを備えている。
【００５２】
柔軟性部材５１および柔軟性部材５３は、例えば金属製のコイルボーン、プラスチック製の薄板など、柔軟性を有する材料で形成されている。
【００５３】
当て布５２および当て布５４は、伸縮性を有していない布である。
【００５４】
左外側布３１と、左内側布３２と、当て布５２とは、この順番で重ねられて互いに縫い付けられている。そして、柔軟性部材５１は、左内側布３２と、当て布５２とに挟まれて固定されている。
【００５５】
同様に、右外側布３３と、右内側布３４と、当て布５４とは、この順番で重ねられて互いに縫い付けられている。そして、柔軟性部材５３は、右内側布３４と、当て布５４とに挟まれて固定されている。
【００５６】
図１および図２に示すように、骨盤ベルト１０は、骨盤ベルト１０全体の縁取りを行う縁取り用布６１を備えている。
【００５７】
縁取り用布６１は、縦方向および横方向に伸縮性を有する２ＷＡＹの生地、例えばパワーネットで形成されている。
【００５８】
縁取り用布６１は、左端外側布２１、左端内側布２２、右端外側布２３、右端内側布２４、左外側布３１、左内側布３２、右外側布３３、右内側布３４、クッション部材４１、当て布４２、当て布４３、当て布５２および当て布５４のうち骨盤ベルト１０の縁に該当する部分を包む状態で、これらの部材に縫い付けられている。
【００５９】
図１、図２および図８に示すように、着用されている状態での着用者８０の左半身側の正面側部分１１は、左端外側布２１および左端内側布２２と、縁取り用布６１のうち左端外側布２１および左端内側布２２を包んでいる部分とによって構成されている。
【００６０】
着用されている状態での着用者８０の右半身側の正面側部分１１は、右端外側布２３、右端内側布２４およびフック部材２５と、縁取り用布６１のうち右端外側布２３および右端内側布２４を包んでいる部分とによって構成されている。
【００６１】
着用されている状態での着用者８０の左半身側の高伸縮部分１２は、左外側布３１および左内側布３２と、縁取り用布６１のうち左外側布３１および左内側布３２を包んでいる部分とによって構成されている。
【００６２】
着用されている状態での着用者８０の右半身側の高伸縮部分１２は、右外側布３３および右内側布３４と、縁取り用布６１のうち右外側布３３および右内側布３４を包んでいる部分とによって構成されている。
【００６３】
仙骨背面部分１３は、クッション部材４１、当て布４２および当て布４３と、縁取り用布６１のうちクッション部材４１、当て布４２および当て布４３を包んでいる部分とによって構成されている。
【００６４】
着用されている状態での着用者８０の左半身側の区切部分１４は、柔軟性部材５１および当て布５２と、縁取り用布６１のうち柔軟性部材５１および当て布５２を包んでいる部分とによって構成されている。
【００６５】
着用されている状態での着用者８０の右半身側の区切部分１４は、柔軟性部材５３および当て布５４と、縁取り用布６１のうち柔軟性部材５３および当て布５４を包んでいる部分とによって構成されている。
【００６６】
次に、骨盤ベルト１０の作用効果について説明する。
【００６７】
骨盤ベルト１０は、着用者８０の背面側で着用者８０の後上腸骨棘８３ｂの背面側である部分が骨盤ベルト１０の伸縮性によって着用者８０側に引き付けられるので、着用者８０の後上腸骨棘８３ｂに対して着用者８０の正面側に存在する着用者８０の仙腸関節８１ａ（図５参照。）を骨盤８１が閉じる方向に適度にサポートすることができる。
【００６８】
また、骨盤ベルト１０は、着用者８０の側面側で着用者８０の腸骨８３の側面側に配置されている正面側部分１１の端１１ａを高伸縮部分１２の伸縮性によって着用者８０側に引き付けるので、正面側部分１１に相当する部分も高伸縮部分１２と同様に矢印１０ａで示す延在方向に伸縮性が高い部分である構成と比較して、正面側部分１１の端１１ａによって着用者８０の左右両側の腸骨８３の開きを抑えることができる。骨盤ベルト１０は、正面側部分１１の端１１ａによって着用者８０の左右両側の腸骨８３の開きを抑えることができるので、着用者８０の仙腸関節８１ａを骨盤８１が閉じる方向に更に適度にサポートすることができる。
【００６９】
また、骨盤ベルト１０は、高伸縮部分１２より矢印１０ａで示す延在方向における伸縮性が低い仙骨背面部分１３を着用者８０の背面側で着用者８０の仙骨８４の背面側に備えているので、仙骨背面部分１３に相当する部分も高伸縮部分１２と同様に矢印１０ａで示す延在方向に伸縮性が高い部分である構成と比較して、矢印１０ａで示す延在方向に伸縮性が高い部分の長さを短くすることができる。骨盤ベルト１０は、矢印１０ａで示す延在方向に伸縮性が高い部分の長さを短くすることができるので、着用者８０の背面側で着用者８０の後上腸骨棘８３ｂの背面側である部分が高伸縮部分１２の伸縮性によって着用者８０側に引き付けられる力を向上することができる。したがって、骨盤ベルト１０は、仙骨背面部分１３に相当する部分も高伸縮部分１２と同様に矢印１０ａで示す延在方向に伸縮性が高い部分である構成と比較して、着用者８０の後上腸骨棘８３ｂに対して着用者８０の正面側に存在する着用者８０の仙腸関節８１ａを骨盤８１が閉じる方向に更に適度にサポートすることができる。
【００７０】
また、骨盤ベルト１０は、仙骨背面部分１３が着用者８０の背面側の下部に向けて幅が狭くなっており、図７に示すように、着用者８０の背面側で着用者８０の仙骨８４のうち着用者８０の左右両側の腸骨８３に挟まれている部分、すなわち、下部に向けて幅が狭くなっている部分に仙骨背面部分１３を合わせることができるので、仙骨背面部分１３が着用者８０の背面側で着用者８０の左右両側の腸骨８３に跨って配置されることを防止することができる。したがって、骨盤ベルト１０は、仙骨背面部分１３が着用者８０の背面側で着用者８０の左右両側の腸骨８３に跨って配置される構成と比較して、着用者８０の後上腸骨棘８３ｂに対して着用者８０の正面側に存在する着用者８０の仙腸関節８１ａの動きを妨げることなく、仙腸関節８１ａを骨盤８１が閉じる方向に更に適度にサポートすることができる。
【００７１】
また、骨盤ベルト１０は、図７に示すように、着用者８０の側面側で着用者８０の腸骨８３の側面側に配置されている正面側部分１１の端１１ａ（図６参照。）を着用者８０側に引き付ける目的の区画１２ａと、着用者８０の背面側で着用者８０の後上腸骨棘８３ｂの背面側である部分を着用者８０側に引き付ける目的の区画１２ｂとに高伸縮部分１２を区切部分１４によって区切るので、高伸縮部分１２が区切られていない構成と比較して、それぞれの区画の伸縮性をそれぞれの区画の目的に合わせて適正化することができる。したがって、骨盤ベルト１０は、高伸縮部分１２が区切られていない構成と比較して、着用者８０の仙腸関節８１ａを骨盤８１が閉じる方向に更に適度にサポートすることができる。
【００７２】
なお、骨盤ベルト１０は、２つの区切部分１４がそれぞれ矢印１０ａで示す延在方向における仙骨背面部分１３の２つの端１３ａのうち近い方に平行に配置されているので、高伸縮部分１２のうち、着用者８０の背面側で着用者８０の後上腸骨棘８３ｂの背面側である部分を着用者８０側に引き付ける目的の区画１２ｂによって、この区画１２ｂのうち矢印１０ａで示す延在方向に直交する方向における位置に関係なく均等な力で、着用者８０の後上腸骨棘８３ｂの背面側である部分を着用者８０側に引き付けることができる。したがって、骨盤ベルト１０は、区切部分１４が矢印１０ａで示す延在方向における仙骨背面部分１３の２つの端１３ａのうち近い方に平行に配置されていない構成と比較して、着用者８０の仙腸関節８１ａを骨盤８１が閉じる方向に更に適度にサポートすることができる。
【００７３】
以上に説明したように、骨盤ベルト１０は、着用者８０の仙腸関節８１ａを骨盤８１が閉じる方向に適度にサポートすることができるので、例えば、着用者８０の歩行を容易化することができる。
【００７４】
骨盤ベルト１０は、着用者８０の側面側で着用者８０の大転子８５ａより上部の側面側である部分が骨盤ベルト１０の伸縮性によって着用者８０側に引き付けられるので、着用者８０の骨盤８１の腸骨８３と、着用者８０の大腿骨８５の大転子８５ａとを繋ぐ着用者８０の中臀筋８６（図６参照。）を適度にサポートすることができる。骨盤ベルト１０は、着用者８０の中臀筋８６を適度にサポートすることができるので、骨盤８１と、大腿骨８５との間に形成される股関節８０ａ（図６参照。）を適度にサポートすることができる。したがって、骨盤ベルト１０は、例えば、着用者８０の歩行を容易化することができる。
【００７５】
また、骨盤ベルト１０は、面ファスナーを構成している正面側部分１１以外の部分が左右対称に配置されているので、左右何れかへの骨盤８１の捻じれ、すなわち、骨盤８１の歪みを抑えることもできる。
【００７６】
また、骨盤ベルト１０は、着用者８０の正面側で着用者８０の前上腸骨棘８３ａの正面側を通らず前上腸骨棘８３ａより下部の正面側を通っているので、着用者８０の正面側で着用者８０の前上腸骨棘８３ａより下部の正面側である部分が骨盤ベルト１０の伸縮性によって着用者８０側に引き付けられる。したがって、骨盤ベルト１０は、着用者８０の腸骨８３のうち前上腸骨棘８３ａより下側の部分を介して着用者８０の骨盤８１全体を適度に前傾させることができる。骨盤８１が適度に前傾している場合、骨盤８１の仙骨８４の上部に存在する腰椎８７が適度な前弯を維持することができる。腰椎８７の適度な前弯は、着用者８０の体形を美しく見せるだけでなく、腰痛を予防することができる。
【００７７】
着用されている状態での着用者８０の左半身側の高伸縮部分１２は、左外側布３１および左内側布３２がパワーネットで形成されている場合、左外側布３１および左内側布３２のみが重なっている部分の通気性を向上することができる。以上においては、着用されている状態での着用者８０の左半身側の高伸縮部分１２について説明しているが、着用されている状態での着用者８０の右半身側の高伸縮部分１２についても同様である。
【００７８】
左外側布３１および左内側布３２は、矢印１０ａで示す延在方向ほどではないが、矢印１０ａで示す延在方向に直交する方向においても、僅かな伸縮性を有している。したがって、着用されている状態での着用者８０の左半身側の高伸縮部分１２は、左外側布３１および左内側布３２の伸縮性によって、着用者８０の身体に密着し、骨盤ベルト１０の着用の心地良さを向上させることができる。また、着用されている状態での着用者８０の左半身側の高伸縮部分１２は、左外側布３１および左内側布３２の伸縮性によって、着用者８０の動きによる着用者８０の身体の変形に伴って変形するので、着用者８０の動きを妨げることを防止することができるとともに、着用者８０の動きによって着用者８０の身体に対して骨盤ベルト１０がずれることを防止することができる。以上においては、着用されている状態での着用者８０の左半身側の高伸縮部分１２について説明しているが、着用されている状態での着用者８０の右半身側の高伸縮部分１２についても同様である。
【００７９】
着用者８０の仙骨８４は、着用者８０の左右両側の腸骨８３の後上腸骨棘８３ｂに対して着用者８０の正面側に位置している。すなわち、着用者８０の左右両側の腸骨８３の後上腸骨棘８３ｂの間において、腸骨８３と、仙骨８４との間には、段差が生じている。仙骨背面部分１３は、この段差の形状に合わせた台形の形状である。仙骨背面部分１３は、主にクッション部材４１によって構成されているので、クッション部材４１のクッション性によって、仙骨８４に付着している靭帯に大きな負荷を加えることを防止することができる。なお、仙骨背面部分１３は、クッション部材４１を、クッション性を有していない部材に代えたとしても、着用者８０の仙腸関節８１ａを骨盤８１が閉じる方向に適度にサポートする機能を維持することができる。
【００８０】
着用されている状態での着用者８０の左半身側の区切部分１４は、主に柔軟性部材５１によって構成されているので、左外側布３１および左内側布３２よりは硬い柔軟性部材５１によって、着用されている状態での着用者８０の左半身側の高伸縮部分１２の矢印１０ａで示す延在方向に直交する方向における形状を安定させることができる。以上においては、着用されている状態での着用者８０の左半身側の区切部分１４について説明しているが、着用されている状態での着用者８０の右半身側の区切部分１４についても同様である。
【００８１】
着用されている状態での着用者８０の左半身側の区切部分１４は、主に柔軟性部材５１によって構成されており、着用者８０の動きによる着用者８０の身体の変形に伴って変形するので、着用者８０の動きを妨げることを防止することができる。以上においては、着用されている状態での着用者８０の左半身側の区切部分１４について説明しているが、着用されている状態での着用者８０の右半身側の区切部分１４についても同様である。
【符号の説明】
【００８２】
１０  骨盤ベルト
１０ａ  矢印（骨盤ベルトの延在方向を示す矢印）
１１  正面側部分
１１ａ  端（骨盤ベルトの延在方向における正面側部分の端）
１２  高伸縮部分
１３  仙骨背面部分
１３ａ  端（骨盤ベルトの延在方向における仙骨背面部分の端）
１４  区切部分
８０  着用者
８１  骨盤
８３  腸骨
８３ａ  前上腸骨棘
８３ｂ  後上腸骨棘
８４  仙骨
８５ａ  大転子
【図１】
2014104002.tif 000003
【図２】
2014104002.tif 000004
【図３】
2014104002.tif 000005
【図４】
2014104002.tif 000006
【図５】
2014104002.tif 000007
【図６】
2014104002.tif 000008
【図７】
2014104002.tif 000009
【図８】
2014104002.tif 000010
【手続補正書】
【提出日】平成25年5月16日(2013.5.16)
【手続補正１】
【補正対象書類名】特許請求の範囲
【補正対象項目名】全文
【補正方法】変更
【補正の内容】
【特許請求の範囲】
【請求項１】
着用者の正面側で前記着用者の前上腸骨棘の正面側を通らず前記前上腸骨棘より下部の正面側を通り、前記着用者の側面側で前記着用者の大転子より上部の側面側を通り、前記着用者の背面側で前記着用者の後上腸骨棘の背面側を通るように環状に延在している状態で前記着用者の骨盤を取り囲む位置に着用され、延在方向において伸縮性を有している骨盤ベルトであって、
前記骨盤ベルトが前記状態で着用されている場合の前記着用者の正面側に配置されている部分である正面側部分と、前記正面側部分より前記場合の前記着用者の背面側で前記正面側部分の前記延在方向における端に固定されていて前記正面側部分より前記延在方向における伸縮性が高い部分である高伸縮部分とを備えており、
前記正面側部分の前記端は、前記場合の前記着用者の側面側で前記場合の前記着用者の腸骨の側面側に配置されていることを特徴とする骨盤ベルト。
【請求項２】
前記場合の前記着用者の背面側で前記場合の前記着用者の仙骨の背面側に配置されている部分である仙骨背面部分を備えており、
前記高伸縮部分は、前記仙骨背面部分の前記延在方向における端に固定されていて前記仙骨背面部分より前記延在方向における伸縮性が高いことを特徴とする請求項１に記載の骨盤ベルト。
【請求項３】
前記仙骨背面部分は、前記場合の前記着用者の背面側の下部に向けて幅が狭くなっていることを特徴とする請求項２に記載の骨盤ベルト。
【請求項４】
前記高伸縮部分に固定されていて前記高伸縮部分を区切る区切部分を備えており、
前記区切部分は、前記場合の前記着用者の背面側で前記場合の前記着用者の前記腸骨の背面側に配置されていることを特徴とする請求項２または請求項３に記載の骨盤ベルト。
【請求項５】
前記区切部分は、前記仙骨背面部分の２つの前記端のうち近い方に平行に配置されていることを特徴とする請求項４に記載の骨盤ベルト。